(57)【要約】      （修正有）【課題】充填物の弾性の弱化によるぬいぐるみの形が歪む問題を解決し、さらに、その構造が簡単で、充填物と比べてぬいぐるみのコストを大幅に下げることができる気室システム及びぬいぐるみを提供する。【解決手段】ぬいぐるみに用いられる気室システムであって、主気室１と副気室３が継手４によってＹ字チューブ２と連接され、継手４の一方が中空管であり、継手４のもう一方には複数の環状溝が設置される中空円錐台であり、中空管がＹ字チューブ２と嵌合され、主気室１及び副気室３の空気注入チューブがそれぞれ中空円錐台の外表面に嵌合される。主気室１に圧力が与えられる場合、空気が副気室３に入り、圧力が消えた場合、空気が主気室１に回流するように、主気室１が弾性素材からなる。副気室３がシリコン素材からなり、Ｙ字チューブ２が弾性素材からなる。【選択図】図１
0003225374.tif 000002
【実用新案登録請求の範囲】
【請求項１】
主気室と、  チューブ部と、  複数の副気室と、が含まれ、  前記チューブ部には空気注入チューブ及び前記空気注入チューブと連接される複数の排気チューブが含まれ、前記空気注入チューブの一方が前記主気室と連接され、もう一方が複数の前記排気チューブと連接され、複数の前記排気チューブがそれぞれ前記副気室と連接され、  空気が前記主気室に容納される場合、前記副気室には空気が容納されず、前記副気室が長手方向で曲がる状態になり、  前記主気室における空気が前記チューブ部を通して複数の前記副気室に入る場合、前記主気室が圧縮状態になり、前記副気室が長手方向で伸びる状態になる気室システム。
【請求項２】
前記副気室の数が２〜６個であることを特徴とする請求項１に記載する気室システム。
【請求項３】
更に、前記主気室及び前記副気室が継手によって前記チューブ部の前記空気注入チューブや前記排気チューブと連接され、  前記継手の一方が中空管であり、前記継手のもう一方には複数の環状溝が設置される中空円錐台であり、前記中空管が前記チューブ部と嵌合され、前記主気室及び前記副気室が前記中空円錐台の外表面に嵌合されることを特徴とする請求項１に記載する気室システム。
【請求項４】
前記主気室及び前記副気室が接着剤によってそれぞれ継手と接着されることを特徴とする請求項３に記載する気室システム。
【請求項５】
前記副気室の展開の長さがぬいぐるみの耳や手足の伸長の長さと同じであることを特徴とする請求項１に記載する気室システム。
【請求項６】
前記副気室の数が２個であり、前記チューブ部がＹ字チューブであることを特徴とする請求項１に記載する気室システム。
【請求項７】
主体及び主体の内部に充填される気室システムが含まれ、  前記主体には、躯体と、前記躯体と連接される二つの耳と縫い合わされる頭部と、四肢とが含まれ、前記主気室が前記躯体に設置され、複数の前記副気室がそれぞれ前記耳及び／又は前記四肢に設置され、  空気が前記主気室に容納される場合、前記耳や前記四肢が曲がる状態になり、複数の前記副気室に空気が容納される場合、前記耳や前記四肢が展開する状態になることを特徴とする請求項１から請求項６のいずれか一項に記載する気室システムを用いるぬいぐるみ。
【請求項８】
前記躯体と前記主気室の間には充填物が設置されることを特徴とする請求項７に記載する気室システムを用いるぬいぐるみ。 
【考案の詳細な説明】
【技術分野】
【０００１】  本考案は玩具の領域に関し、特に気室システム及びぬいぐるみに関するものである。
【背景技術】
【０００２】  ぬいぐるみとは毛皮生地、ｐｐ棉及び他の繊維素材を主な生地にして、中身に様々な充填物を充填することにより製造される玩具であって、造型がリアルで愛くるしく、触感が柔らかく、弾性がよく、手入れが簡単で、装飾に向いていて、安全性が高く、適用対象が幅広いなどの特徴がある。【０００３】  しかしながら、充填物が長い間圧迫されると弾性が弱化して、ぬいぐるみの形が歪むことがあり、かつ充填物のコストがやや高いという問題がある。そして、近年のぬいぐるみの構造は動物をモチーフとした場合が多く、主な構造は頭部と躯体を含め、躯体と頭部にはそれぞれ肢体と耳が生地を通して固定される形で縫い合わされるため、肢体と耳を動かすことができず、児童とのやりとりに関して欠けたものがある。同時に、動物の耳が長い場合、耳が頭部から垂れることになり、ぬいぐるみのリアリティを著しく妨げ、特にウサギをモチーフにしたぬいぐるみにはこのような問題が顕著し、ウサギのぬいぐるみのイメージに影響を与えてきた。
【考案の概要】
【０００４】  故に、本考案の目的は、毛皮生地の内部に主気室を充填し、同時に二つの副気室をぬいぐるみの耳に設置して、気室の給排気によって、ぬいぐるみの耳を立たせたり垂れさせたりにして、よりリアリティーのあるイメージを持たせて、同時のプレイアビリティを向上させることができ、より児童に受けるようにする気室システム及びぬいぐるみを提供する。
【０００５】  本考案は以下のような技術方法により実現される：主気室と、チューブ部と、複数の副気室と、が含まれ、前記チューブ部には空気注入チューブ及び前記空気注入チューブと連接される複数の排気チューブが含まれ、前記空気注入チューブの一方が前記主気室と連接され、もう一方が複数の前記排気チューブと連接され、複数の前記排気チューブがそれぞれ前記副気室と連接され、空気が前記主気室に容納される場合、前記副気室には空気が容納されず、前記副気室が長手方向で曲げる状態になり、前記主気室における空気が前記チューブ部を通して複数の前記副気室に入れられる場合、前記主気室が圧縮状態になり、前記副気室が長手方向で伸ばす状態になる気室システム。
【０００６】  より好ましいのは、前記副気室の数が２〜６個である。
【０００７】  より好ましいのは、前記主気室及び前記副気室が継手によって前記チューブ部の前記空気注入チューブや前記排気チューブと連接され、前記継手の一方が中空管であり、前記継手のもう一方には複数の環状溝が設置される中空円錐台であり、前記中空管が前記チューブ部と嵌合され、前記主気室及び前記副気室が前記中空円錐台の外表面に嵌合される。
【０００８】  より好ましいのは、前記主気室及び前記副気室が接着剤によってそれぞれ継手と接着される。
【０００９】  より好ましいのは、前記副気室の展開の長さがぬいぐるみの耳や手足の伸長の長さと同じである。
【００１０】  より好ましいのは、前記副気室の数が２個であり、前記チューブ部がＹ字チューブである。
【００１１】  更に、本考案は、主体及び主体の内部に充填される気室システムが含まれ、前記主体には、躯体と、前記躯体と連接される、二つの耳と縫い合わされる頭部と、四肢とが含まれ、前記主気室が前記躯体に設置され、複数の前記副気室がそれぞれ前記耳及び／又は前記四肢に設置され、空気が前記主気室に容納される場合、前記耳や前記四肢が曲がる状態になり、複数の前記副気室に空気が容納される場合、前記耳や前記四肢が展開する状態になる前述の気室システムを用いるぬいぐるみを提供する。
【００１２】  より好ましいのは、前記躯体と前記主気室の間には充填物が設置される。
【考案の効果】
【００１３】  現在の技術と比べて、本考案は以下の技術効果を備える：  本考案が提供する気室システムは、主気室の給排気によって副気室の屈伸を制御して、ぬいぐるみの四肢及び／または耳の動きを制御することにより、ぬいぐるみと児童とのやりとりを向上させ、同時にぬいぐるみのリアリティを向上させることができる。また、ぬいぐるみの躯体を支持することができ、空気を気室システムに封入させることで、現在の充填物の弾性の弱化によるぬいぐるみの形が歪む問題を解決しさらに、その構造が簡単で、充填物と比べてぬいぐるみのコストを大幅に下げることができる。
【００１４】  本考案が提供する前述の気室システムを用いるぬいぐるみは、充填物の代わりに気室システムを使用し、複数の気室を同時にぬいぐるみの耳、四肢や羽に取り付けられて、気室の給排気によって耳、四肢や羽の動作を制御し、操作可能性を向上させ、より児童とのやりとりを促進し、さらにぬいぐるみのリアリティーを向上させることができる。
【図面の簡単な説明】
【００１５】
【図１】は本考案の気室システムにおいて空気が主気室に充填される概略図である。
【図２】は本考案の気室システムにおいて空気が副気室に充填される概略図である。
【図３】は本考案の気室システムの側面図である。
【図４】は本考案の気室システムの構成を示す図である。
【考案を実施するための形態】
【００１６】  以下では、本考案の実施形態について図面を加えて詳細の説明をする。該当説明は本考案の実施形態の一つの例示にすぎず、本考案の実施形態を限定するものではない。
【００１７】  図１〜図４を参照して頂きたい。ぬいぐるみに用いられる気室システムには、主気室１、Ｙ字チューブ２及び二つの副気室３が含まれる。
【００１８】  前記主気室１がＹ字チューブ２の給気口と連接され、二つの副気室がそれぞれＹ字チューブの二つの排気口と連接されることで、密閉状態の気室システムが形成される。
【００１９】  肢体が曲がる状態になる場合、気室システムにおいて空気が主気室１に位置し、前記主気室１が中空の円形または楕円形を形成し、副気室の二つの内壁が互いに張り付いて、即ち二つの内壁が密着して、同時に副気室が長手方向で曲げる状態になり、曲げる部分が弧形を形成する。
【００２０】  肢体が伸びる状態になる場合、主気室１の中の空気がＹ字チューブを通して二つの副気室３に入れられて、主気室が圧縮状態になり、副気室の断面が中空の楕円形になり、同時に副気室が長手方向で伸ばす状態になる。
【００２１】  前記主気室１と副気室３が継手４によってＹ字チューブ２と連接され、前記継手４の一方が中空管であり、前記継手のもう一方には複数の環状溝が設置される中空円錐台であり、前記中空管がＹ字チューブ２と嵌合され、前記主気室１及び前記副気室の空気注入チューブがそれぞれ前記中空円錐台の外表面に嵌合される。
【００２２】  連接の固さを保障するため、継手４の両端がそれぞれ接着剤によってＹ字チューブと、主気室と、副気室と、接着される。
【００２３】  前記主気室に圧力が与えられる場合、空気が副気室に入り、圧力が消えた場合、空気が主気室に回流するように、主気室が弾性素材からなる。
【００２４】  副気室がシリコン素材からなり、Ｙ字チューブが弾性素材からなる。
【００２５】  主気室の給気管及び副気室の給気管が継手４の円錐台に嵌合され、弾力の作用により、給気管が対応する環状溝に嵌合し、環状溝に向って収縮することにより、給気管を環状溝に固定させ、主気室及び副気室と継手との連接の固さが強化される。
【００２６】  前述には、例として二つの副気室がある場合であったが、例えば四つ、複数の副気室があり、それぞれぬいぐるみの四肢に取り付けられて、四つの副気室が４分岐チューブによって主気室と連接され、４分岐チューブが一つの給気口と四つの排気口が備え、鳥類のぬいぐるみの場合では二つの副気室を羽に取り付けられることも可能である。当然、六つの副気室もでき、それぞれぬいぐるみの四肢と耳に取り付けられて、副気室に対する給排気によって、ぬいぐるみの四肢、羽や耳の屈伸を制御する。
【００２７】  本考案が提供するぬいぐるみに用いられる気室システムが、主気室の給排気により副気室の屈伸が制御されて、ぬいぐるみの四肢及び／又は耳の動作が制御され、ぬいぐるみと児童とのやりとりを向上させ、同時にぬいぐるみのリアリティを向上させることができる。また、ぬいぐるみの躯体を支持することができ、空気を気室システムに封入させることで、現在の充填物の弾性の弱化によるぬいぐるみの形が歪む問題を解決し、さらに、その構造が簡単で、充填物と比べてぬいぐるみのコストを大幅に下げることができる。
【００２８】  以下では、前述の気室システムを用いる兎のぬいぐるみの構成を詳細に説明する。
【００２９】  兎のぬいぐるみには、毛皮生地からなる主体、及び主体の内部に充填される気室システムが含まれる。  主体には、躯体と、躯体と連接される、二つの耳と縫い合わされる頭部と、四肢とが含まれ、  気室システムが主気室及びＹ字チューブを通して主気室と連接される二つの副気室が含まれ、主気室が前記躯体に設置され、二つの副気室がそれぞれ耳に設置されて、躯体と主気室の間には充填物が充填される。  空気が主気室に容納される場合、耳が曲がる状態になり、主気室を押して変形させると、空気がＹ字チューブを通して二つの副気室に入り、耳が展開する状態になる。
【００３０】  また、六つの副気室を設置して、それぞれ二つの耳及び四肢に設置することもでき、六つの副気室が７分岐チューブにより主気室と連接される。
【００３１】  また、二組の気室システムを設置することもでき、一組には一つの主気室と二つの副気室が含まれて、二つの副気室が二つの耳に設置される。もう一組の気室システムには一つの主気室と四つの副気室が含まれ、四つの副気室が四肢に設置され、二つの主気室がそれぞれ躯体の前後に設置される。
【００３２】  本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００３３】  １  主気室  ２  Ｙ字チューブ  ３  副気室  ４  継手 
【図１】
0003225374.tif 000003
【図２】
0003225374.tif 000004
【図３】
0003225374.tif 000005
【図４】
0003225374.tif 000006